(57)【特許請求の範囲】
【請求項１】
０．９未満の相対尿素／水比を有するカルボキシメチルセルロース（CMC）を含む組成物であって、
該CMCが、
ａ）スラリープロセスで、セルロース源と化学量論量の４０〜８０重量％のNaOHとを、アルカリセルロースを形成するのに十分な温度で十分な時間反応させ、
ｂ）上記アルカリセルロースにNaOHの総量を化学量論レベルにする量のNaOHを加え、そして
ｃ）工程ｂの直後に工程ｂにモノクロロ酢酸を十分な量で加え、そしてそのスラリーを、CMC生成物を形成するためにエーテル化をもたらすのに十分な温度で十分な時間反応させる工程
を含む方法によって製造され、
該相対尿素／水比は次のとおり定義される：
【数１】
0004675108.tif 000024
前記の組成物。
【請求項２】
CMCが０．８未満の相対尿素／水比を有する、請求項１に記載の組成物。
【請求項３】
CMCが会合性およびチキソトロープ性を有する、請求項１に記載の組成物。
【請求項４】
CMCを製造する方法であって、
ａ）スラリープロセスで、セルロース源と化学量論量の４０〜８０重量％のNaOHとを、アルカリセルロースを形成するのに十分な温度で十分な時間反応させ、
ｂ）上記アルカリセルロースにNaOHの総量を化学量論レベルにする量のNaOHを加え、そして
ｃ）工程ｂの直後に工程ｂにモノクロロ酢酸を十分な量で加え、そしてそのスラリーを、CMC生成物を形成するためにエーテル化をもたらすのに十分な温度で十分な時間反応させる
工程を含む上記の方法。
【請求項５】
エーテル化をもたらす十分な時間および温度が７０℃で１〜２時間である、請求項４に記載の方法。
【請求項６】
CMC生成物が次いで冷却され、過剰の塩基が全て中和され、洗浄され、乾燥され、そして粉砕される、請求項４に記載の方法。
【請求項７】
請求項４に記載の方法で製造されたCMC生成物。
【請求項８】
生成物が０．６〜１．２の置換度を有する、請求項７に記載のCMC生成物。
【請求項９】
請求項１または７に記載の組成物を含む水性レオロジー調節剤系。
【請求項１０】
請求項９の水性レオロジー調節剤系をビヒクル成分として含む組成物であって、組成物が個人ケア用、家庭ケア用、ペイント用、建材および建設用、製剤用、医療ケア用、油田用、鉱物処理用、製紙および紙コーティング用、並びに食品用の組成物より成る群から選ばれる上記の組成物。
【請求項１１】
組成物が、（ａ）０．１〜９９．０重量％のビヒクル成分および（ｂ）少なくとも１種の活性な個人ケア用成分を含む個人ケア用組成物である、請求項１０に記載の組成物。
【請求項１２】
少なくとも１種の活性な個人ケア用成分が、消臭剤、皮膚冷却剤、皮膚軟化薬、制汗性活性物質、湿り付与剤、クリンジング剤、日焼け止め活性物質、ヘアトリートメント剤、口内ケア剤、ティシューペーパー製品および美容補助剤より成る群から選ばれる、請求項１１に記載の組成物。
【請求項１３】
組成物が、（ａ）０．１〜９９．０重量％のビヒクル成分および（ｂ）少なくとも１種の活性な家庭ケア用成分を含む家庭ケア用組成物である、請求項１０に記載の組成物。
【請求項１４】
少なくとも１種の活性な家庭ケア用成分が、工業等級の固形、ゲルおよび液体石鹸活性物質、万能洗浄剤、消毒成分、敷物および室内装飾材料洗浄活性物質、洗濯物柔軟剤活性物質、洗濯物洗剤成分、皿洗い洗剤、便器洗浄剤および布帛サイジング剤より成る群から選ばれる、請求項１３に記載の組成物。
【請求項１５】
組成物がラテックスを含むペイント組成物である、請求項１０に記載の組成物。
【請求項１６】
ペイント組成物が顔料も含む、請求項１５に記載の組成物。
【請求項１７】
組成物が目地材、モルタル、コンクリート、コーキング材およびセメントより成る群から選ばれる建材組成物である、請求項１０に記載の組成物。
【請求項１８】
組成物が活性薬物を含む製剤組成物である、請求項１０に記載の組成物。
【請求項１９】
製剤組成物が持続放出系である、請求項１８に記載の組成物。
【請求項２０】
組成物が掘削流体および仕上げ流体より成る群から選ばれる油田用組成物である、請求項１０に記載の組成物。
【請求項２１】
組成物がトルティヤ、ケーキミックス、パンミックス、パン、アイスクリーム、サワークリーム、加工チーズスプレッド、チーズ食品および飲料より成る群から選ばれる食品組成物である、請求項１０に記載の組成物。
【請求項２２】
個人ケア用組成物が口内ケア用組成物である、請求項１０に記載の組成物。
【請求項２３】
口内ケア用組成物が練り歯磨きおよび義歯接着剤である、請求項２２に記載の組成物。
【請求項２４】
請求項１に記載の組成物および乾燥製剤活性成分を含む、固体剤形の形をした製剤組成物。
【請求項２５】
請求項１の組成物がバインダーまたはコーティングとして機能する、請求項２４に記載の組成物。
【請求項２６】
請求項１に記載の組成物および他の水溶性または水膨潤性の重合体を含むブレンド組成物。
【請求項２７】
請求項２６に記載の組成物を含む口内ケア用組成物。
【請求項２８】
重合体が多糖類、生体高分子、合成重合体および増粘性シリカより成る群から選ばれる、請求項２６に記載のブレンド組成物。
【請求項２９】
多糖類がヒドロキシエチルセルロース（HEC）、疎水変性ヒドロキシエチルセルロース（HMHEC）、エチルヒドロキシエチルセルロース（EHEC）、ヒドロキシプロピルメチルセルロース（HPMC）、ヒドロキシエチルメチルセルロース（HEMC）、メチルセルロース（MC）、カラゲナン、グアール、ヒアルロン酸およびグルコサミノグリカンより成る群から選ばれるノニオン性、アニオン性またはカチオン性重合体である、請求項２８に記載のブレンド組成物。
【請求項３０】
生体高分子がザンサンガムである、請求項２８に記載のブレンド組成物。
【請求項３１】
合成重合体がポリエチレングリコール、PEO-PPO、ポリビニルアルコール、ポリアクリル酸、ポリアクリレートおよびそれらの共重合体、カーボマー、並びに合成クアトより成る群から選ばれるノニオン性、アニオン性またはカチオン性重合体である、請求項２８に記載のブレンド組成物。
【請求項３２】
モノクロロ酢酸を工程ｂ）のNaOHの添加終了後５〜１５分後に加える、請求項１に記載の組成物。
【発明の詳細な説明】
【発明の分野】
【０００１】
本発明は、最終用途系において独特の極めて望ましいレオロジー性および性能を示す水溶性カルボキシメチルセルロース（CMC）およびその製造方法に関する。本発明のCMCは混ぜもののない溶液および充填された系の両者において会合挙動を示す。会合は剪断可逆性であって、このことは有用性を高める。
【背景技術】
【０００２】
発明の背景
カルボキシメチルセルロース（CMC）は、水性系の成分として最も多方面に広く使われているセルロースエーテルの１つである。それは懸濁剤、増粘剤、保護コロイド、保湿剤として、またある種他の成分の結晶化を制御するために作用することができる。CMCは生理学的に不活性であり、またアニオン性の高分子電解質である。上記の特性は、CMCをして、食品、製剤、個人ケア、紙、建材および建設、油田、その他の工業における高範囲の用途における使用に適したものにする。
【０００３】
平均の重合度および置換度によって変わる利用可能な多くのタイプの市販CMCが存在する。CMCの化学的および物理的性質は、平均の重合度および置換度ばかりでなく、CMCの総合的な溶解性、そしてまたカルボメトキシ置換基のセルロース鎖に沿っての分布にも依存する。この技術分野では、スムースに置換されたCMC、およびブロック状に置換されたにCMCが両者共によく知られている。ブロック状置換CMCは、ＤＳを低下させおよび／または製造法を変えることによって製造できる。しかし、ブロック状置換CMCを目標にする方法は、溶解性が限定されているCMCを生成させる。多くの場合、CMCの実質的な部分は水性用途では膨潤したゲルを形成する。このようなゲルは練り歯磨きのような多くの用途で望ましくなく、その場合ゲル構造は練り歯磨きに望ましくないゲル外観を与える。
【０００４】
米国再発行特許第３２，９７６号明細書は、 少なくとも５０％のイソプロピルモノクロロアセテートを含むエーテル化剤を用いて製造される、スムースに置換された、酵素および塩に抵抗性のCMCを開示している。スムースに置換されたCMCは本発明の会合性を与えない。本発明のCMCはモノクロロ酢酸またはクロロ酢酸ナトリウムから製造されるものであって、イソプロピルモノクロロアセテートからのものではない。
【０００５】
米国特許第４，５７９，９４３号明細書は、再生セルロースから誘導される、高度の液体吸収性を有するCMCにして、セルロースＩＩ形を有するそのようなCMCを開示している。このCMCはＤＳが比較的低い（０．１−０．６４）もので、水には実質的に不溶性である。本発明のCMCはセルロースＩから誘導されるものであって、セルロースＩＩまたは再生セルロースからのものではない。
【０００６】
国際公開ＷＯ９９／２０６５７号公報は、特定の試験条件下で、濃度０．５％において１．０未満のタンデルタを有するCMCを開示している。本発明のCMCは０．５％濃度において１．０未満のタンデルタを有しない。
【０００７】
Fraunhofer Institut fur Angewandte Polymerforschung所属のG. Mann、J. Kunze、F. LothおよびH-Pfinkによる「セルロースの構造選択性誘導体化による、置換基のブロック状分布を有するセルロースエーテル（Cellulose ethers with a Block-like Distribution of the Substituents by Structure-selective Derivatization of Cellulose）」と題される刊行物である、１９９８年刊行のPolymer誌、第３９巻、第１４号、第３１５５−３１６５頁は、ブロック状分布CMCの製造と試験を開示している。このCMCは、低いNaOH濃度（NaOH／AGUモル比＜０．６）を維持しながら、アルコール−水媒体中で系統的なカルボキシメチル化が行われる段階的エーテル化反応で製造される。そのアルカリセルロースは昇温下（５０−７０℃）で形成される。この方法はCMCを含めてブロック状セルロースエーテル、または交互配置の親水性鎖セグメントおよび疎水性鎖セグメント、そしてまた色々なイオン性鎖セグメントを持つセルロースエーテルエステルを生成させると報告されている。これらのCMCは水中では膨潤した粒子であって、実質的に可溶性でない。本発明のCMCはより高いNaOH／AGU比（約１．１〜約１．９）および低アルカリセルロース温度（２０−３０℃）で製造され、そして水に実質的に可溶性である。
【発明の開示】
【発明が解決しようとする課題】
【０００８】
混ぜもののない溶液および充填された系の両者において会合挙動を示す会合性のチキソトロープ性CMCの必要がなおも存在する。会合は剪断可逆性であって、それは有用性を高めるだろう。このようなレオロジーは高い増粘効率を与え、そしてエマルジョンおよび懸濁液を安定化し、しかも会合ネットワークの可逆的剪断薄め（reversible shear thinning）特性に因り、ポンプ輸送または塗布の容易さのような加工上の利点も与える。
【課題を解決するための手段】
【０００９】
発明の概要
本発明は、約０．９未満の相対尿素／水比を有するCMCを含む組成物に関する。相対尿素比は次のとおり定義される：
【００１０】
【数１】
0004675108.tif 000002
【００１１】
この発明は、また、CMCを製造する方法であって、ａ）セルロース源および化学量論レベルの約５０−８０重量％のアルカリを、イソプロピルアルコールの水性スラリー中で、アルカリセルロースを形成するのに十分な温度で十分な時間反応させ、ｂ）総アルカリ濃度を化学量論レベルにするのに十分なアルカリを加え、続いて必要量のエーテル化剤を加え、ｃ）エーテル化反応を完結させ、そして随意にｄ）セルロース鎖を分解することができる酸化剤を加えることによって最終分子量／粘度を調整する工程を含む上記の方法に関する。
【００１２】
この発明は、また、本発明のCMCの、水性レオロジー調節剤系における、個人ケア（パーソナルケア）用、家庭ケア用、ペイント用、建材用、建設用、製剤用、油田用、食品用、製紙用または紙コーティング用組成物のビヒクル成分としての使用を包含する。
発明の詳細な説明
驚くべきことに、最終用途系において独特の高度に望ましいレオロジー性および性能特性を示すCMCが発見された。
【００１３】
本発明によれば、粘度はCMCに対して普通の手段で増大するばかりでなく、分子の会合によっても有意に高められる。会合はネットワークの形成およびゲル様のレオロジー性をもたらす。会合が剪断可逆性であるという事実は有用性を高める。
【００１４】
本発明のCMCは、CMCの必要とされる使用レベルを低下させ、しかも今日入手できる他のCMCと区別される独特のレオロジー特性を与えることが示された。この独特のレオロジー性は、高度の増粘効率を与えてエマルジョンおよび懸濁液を安定化する。本発明のCMCは、個人ケア用配合物（例えば、練り歯磨き、スキンケアおよびヘアケア）、医療ケア（例えば、創傷ケアおよび造瘻術）、食品用途（即ち、トルティヤ、ケーキミックス、パンミックス、パン、アイスクリーム、サワークリーム、低温殺菌加工チーズスプレッドおよびチーズ食品）、飲料（即ち、インスタント清涼飲料／ホットドリンク、直ぐ飲める飲料および果実風味ドリンク）、ペイント系、（目地材配合物のような）建築および建設材料、鉱物処理用配合物、油田用配合物（例えば、掘削流体）、製紙および紙コーティング用配合物、家庭用配合物（例えば、洗濯洗剤、布帛柔軟剤）および製剤調合物を含めて水性系において公知のCMCを越える有意に向上した性能を与える。
【００１５】
本発明によれば、組成物が個人ケア用組成物であるとき、それは（ａ）約０．１〜約９９．０重量％のビヒクル成分、および（ｂ）少なくとも１種の活性な個人ケア用成分を含む。少なくとも１種の活性な個人ケア用成分の例は、消臭剤、皮膚冷却剤、皮膚軟化薬、制汗性活性物質、湿り付与剤、クリンジング剤、日焼け止め活性物質、ヘアトリートメント剤、口内ケア剤、ティシューペーパー製品および美容補助剤である。
【００１６】
本発明によれば、組成物が家庭ケア用組成物であるとき、それは（ａ）約０．１〜約９９．０重量％のビヒクル成分、および（ｂ）少なくとも１種の活性な家庭ケア用成分を含む。少なくとも１種の活性な家庭ケア用成分の例は、工業等級の固形、ゲルおよび液体石鹸活性物質、万能洗浄剤、消毒成分、敷物および室内装飾材料洗浄活性物質、洗濯物柔軟剤活性物質、洗濯物洗剤成分、皿洗い洗剤、便器洗浄剤および布帛サイジング剤である。
【００１７】
個人ケアおよび家庭ケアにおいて常用される成分に加えて、本発明による組成物は、また、随意に着色剤、防腐剤、酸化防止剤、栄養補助剤、活性増強剤、乳化剤、粘性付与剤（viscosifying agent）（例えば、塩、即ちNaCl、NH4ClおよびKCl、水溶性重合体、即ちヒドロキシエチルセルロース、および脂肪アルコール、即ちセチルアルコール）、１−６個の炭素原子を有するアルコール、並びに脂肪および油類のような成分を含むことができる。
【００１８】
本発明のCMCは、また、限定されるものではないが、多糖類（例えば、カラゲナン、グアール、ヒアルロン酸、グルコサミノグリカン、ヒドロキシエチルセルロース、疎水変性ヒドロキシエチルセルロース、エチルヒドロキシエチルセルロース、ヒドロキシプロピルメチルセルロース、ヒドロキシエチルメチルセルロース、メチルセルロース、カチオン性グアール、カルボマー）、生体高分子（例えば、ザンサン）、合成重合体（ポリエチレングリコール、ポリ酢酸ビニル、クロロヘキシジエン）および増粘性シリカを含めて他の公知のレオロジー調節剤と組み合わせて使用してもよい。
【００１９】
練り歯磨き配合物でのCMCの、練り歯磨きに望ましい高次構造を与える練り歯磨き用バインダー系としての使用は、練り歯磨き工業においては周知である。バインダー系はCMCタイプバインダーを他の多糖類、無機塩、キレート化剤およびそれらの組み合わせと共に含む。
【００２０】
商業的に入手できるCMCタイプバインダーは、それらが練り歯磨きに与える構造の程度が異なる。高度にチキソトロープ性のグレードのCMCはより高次構造の練り歯磨きにする傾向がある。これらのチキソトロープ性CMCタイプバインダーは、また、より大きな後増粘に寄与する傾向もある。
【００２１】
セルロースガム（CMC）だけが従来の練り歯磨き用バインダーであった。練り歯磨き中において、CMCは、粘性、立ち上がり（stand-up）または構造および離液制御を実現する。CMCを用いて製造された練り歯磨きは、また、その練り歯磨きの貯蔵寿命の終わりまで遅い粘度増大速度を有し、かくして最初の３０日間またはそれ以上の日数まで安定な粘度に達しないことが知られている。これは、また、“後増粘（post-thickening）”と称される。
【００２２】
練り歯磨きで一般に用いられる他のバインダーは、カラゲナン、またはカラゲナンとザンサンとの併用である。カラゲナンおよびザンサンは良好な立ち上がり、粘性および離液制御を与える；しかし、それらはCMCと比較してより高価な代替バインダーとなる傾向がある。カラゲナンおよびザンサンを用いて製造された練り歯磨きは、加工処理後かなり速やかに安定な粘度を示し、かつ後増粘をほとんど示さない傾向がある。
【００２３】
本発明によれば、本発明のCMCは単独または他の多糖類、合成重合体および／または塩との組み合わせのいずれでも使用することができ、そして高い効率と向上した性能を与える。本発明の予期されない結果の証明については、後記の練り歯磨きの実施例を参照されたい。
【００２４】
本発明のCMCの使用は、立ち上がり、光沢および離液制御のような決定的に重要な練り歯磨きの性質を保持しつつ約４０％の使用レベルの低下を可能にした。これらCMCのこのより低い使用レベルおよび／または剪断薄め挙動は、改善された香味放出性、改善された活性物質送達性、改善されたフッ化物送達性、より高い光沢、チューブからの改善された押出適性および改善された抗菌有効性のような練り歯磨きの性質に追加の利点を提供することができる。練り歯磨きの製造プロセスに対する潜在的な改善を挙げると、限定されるものではないが、製造プロセス中に閉じこめられる空気の減少、混合操作における改善およびチューブ中への押し出しにおける改善がある。
【００２５】
セルロースエーテル誘導体が常用される水系保護コーティング組成物（一般にペイントと称される）にラテックスペイントまたは分散ペイントがあり、その主要成分はスチレンブタジエン共重合体、酢酸ビニル重合体および同共重合体、並びにアクリル重合体および同共重合体のようなフィルム形成性ラテックスである。典型的には、それら組成物はまた不透明顔料、分散剤および水溶性保護コロイドも含み、ここでその割合は、全組成物に対する重量で、約１０〜約５０部のラテックス、約１０〜約５０部の不透明顔料、約０．１〜約２部の分散剤および約０．１〜約２部の水溶性保護コロイドである。
【００２６】
ラテックスペイントの製造において（ラテックスを安定化し、そして塗装領域の濡れた縁部を使用状態でより長く維持するために）常用される水溶性保護コロイドを挙げると、カゼイン、メチルセルロース、ヒドロキシエチルセルロース（HEC）、ナトリウム・カルボキシメチルセルロース（CMC）、ポリビニルアルコール、澱粉およびポリアクリル酸ナトリウムがある。天然系セルロースエーテルの不利な点は、それらが生物劣化を受けやすく、しばしば貧弱な流れ特性および均展性を与えることがあり、同時にポリビニルアルコールのような合成物質が垂れ抵抗性を維持するのに十分な増粘効率を欠いていることが多いということである。このセルロースエーテルの増粘効率は、通常、普通はより高価になるが、それらの分子量を増加させることによって改善される。
【００２７】
本発明によれば、本発明のCMCはペイント中でより少ない量で使用でき、しかも予期できない高い質の結果を与える。このことは後記において実施例で例証される。
本発明のCMCは通常のスラリープロセス法を用いて製造される。例えば、イソプロピルアルコール、水および化学量論量の約５０−８０％のNaOHが、セルロースと、約２０℃の温度において、アルカリセルロースを生成させるのに十分な時間、約１．５時間反応せしめられる。総NaOHレベルを化学量論レベル、またはそれより僅かに高いレベルにするために十分なNaOHが加えられ、そしてその第二NaOH添加のちょっと後にモノクロロ酢酸が加えられる。反応条件は、普通、エーテル化をもたらすために、温度を約７０℃まで約１〜２時間かけて上昇させることである。CMCの分子量および粘度は、エーテル化に続いて過酸化水素のような酸化剤の添加によって調整（低下）させることができる。反応物は次いで随意に冷却され、必要ならば過剰の塩基が中和され、そして生成物が洗浄される。次に、この生成物は乾燥および粉砕することができる。この発明の決定的に重要な特長は、エーテル化をもたらすために利用されるアルカリの量が化学量論量より少ないこと、および残りのアルカリはエーテル化剤にちょうど先だって加えられるということである。CMCの置換度は約０．６〜約１．２である。
【００２８】
本発明によれば、CMCは、従来技術のCMCとは、本発明のCMCが水性媒体環境中で実質的に可溶性であること、および会合に有利でない環境中での本発明CMCの挙動によって区別することができる。尿素が水素結合を破断することによって会合を解体することは公知の事実である。主題CMCは、相対尿素比で測定して、尿素の存在下において粘度低下を示す。相対尿素比は次のとおり定義される：
【００２９】
【数２】
0004675108.tif 000003
【実施例】
【００３０】
次の実施例は単に例示目的のために示されるが、関係工業における当業者の技能の範囲内における本発明の他の修正は、本発明の精神と範囲から逸脱しない限りなし得ることは理解されるべきである。百分率および部数は、全て、外に明記されない限り重量による。
【００３１】
実施例１
イソプロピルアルコール（IPA、６９６．６７ｇ）および脱イオン（ＤＩ）水（７６．９４５ｇ）を、空気駆動攪拌機、ステンレス鋼製かき混ぜ器、圧力均等化添加漏斗、還流コンデンサー、真空、窒素入口および熱電対を備えたジャケット付き重合釜反応器に装填した。この反応器にセルロースパルプ（６５．０ｇ、６．４％水分率）を加え、その反応器を密封し、そしてかき混ぜ器を良好な混合を達成するように調整した。この反応器を不活性にし、そしてその混合物を２０℃まで冷却した。
【００３２】
NaOH水溶液（５０％、６０．９２ｇ）を、混合物スラリー温度を２０℃に保って、上記反応器に添加漏斗を通してゆっくり加えた。苛性ソーダの添加を終えた後、その反応混合物を２０℃で１時間保持した。
【００３３】
上記反応器に、添加漏斗を通して、混合物スラリー温度を２０℃に保って、NaOH水溶液（５０％、１６．０２ｇ）をゆっくり加えた。苛性ソーダの添加を終えた後、その反応混合物を２０℃で５分間保持した。この反応器に、開放反応器口を通して、２０℃の反応器スラリー温度を保って、モノクロロ酢酸（MCA、４２．９１ｇ）を加えた。MCAの添加を終えた後、その反応スラリーを７０℃まで加熱し、そして１．５時間保持した。この反応スラリーを濾過し、その結果得られた湿ったケーキを５６５ｇの８０％メタノール水溶液で３回、１０００ｇの純メタノールで１回洗浄した。この結果得られた湿ったケーキを小さい粒子に砕き、そして流動床乾燥器中で３５分間乾燥した。（５分間風乾、５０℃で１０分間熱乾燥、そして７０℃でさらに２０分間熱乾燥）。生成物を、１ｍｍのスクリーンを用いているRetsch細砕機で粉砕した。置換度（ＤＳ）＝０．８９。
【００３４】
実施例２
イソプロピルアルコール（IPA、６９６．６７ｇ）および脱イオン（ＤＩ）水（７６．９４５ｇ）を、空気駆動攪拌機、ステンレス鋼製かき混ぜ器、圧力均等化添加漏斗、還流コンデンサー、真空、窒素入口および熱電対を備えたジャケット付き重合釜反応器に装填した。この反応器にセルロースパルプ（６５．０ｇ、６．４％水分率）を加え、その反応器を密封し、そしてかき混ぜ器を良好な混合を達成するように調整した。この反応器を不活性にし、そしてその混合物を２０℃まで冷却した。
【００３５】
NaOH水溶液（５０％、６０．９２ｇ）を、混合物スラリー温度を２０℃に保って、上記反応器に添加漏斗を通してゆっくり加えた。苛性ソーダの添加を終えた後、その反応混合物を２０℃で１時間保持した。
【００３６】
上記反応器に、添加漏斗を通して、混合物スラリー温度を２０℃に保って、NaOH水溶液（５０％、１６．０２ｇ）をゆっくり加えた。苛性ソーダの添加を終えた後、その反応混合物を２０℃で５分間保持した。この反応器に、開放反応器口を通して、２０℃の反応器スラリー温度を保って、モノクロロ酢酸（MCA、４２．９１ｇ）を加えた。MCAの添加を終えた後、その反応スラリーを７０℃まで加熱し、そして１．５時間保持した。その反応器に１．６ｍＬの６％H2O2を加え、そしてそのスラリーを７０℃で３０分間加熱した。この反応スラリーを濾過し、その結果得られた湿ったケーキを５６５ｇの８０％メタノール水溶液で３回、１０００ｇの純メタノールで１回洗浄した。この結果得られた湿ったケーキを小さい粒子に砕き、そして流動床乾燥器中で３５分間乾燥した。（５分間風乾、５０℃で１０分間熱乾燥、そして７０℃でさらに２０分間熱乾燥）。生成物を、１ｍｍのスクリーンを用いているRetsch細砕機で粉砕した。置換度（ＤＳ）＝０．８７。
【００３７】
実施例３
イソプロピルアルコール（IPA、１２３．４ガロン）、水（１３０．３ポンド）、メタノール（６．３６ガロン）およびNaOH（フレーク、３５．４ポンド）を反応器に装填した。この反応器を不活性にし、そしてその苛性ソーダ／溶媒混合物を２０℃まで冷却し、この時点にセルロースパルプ（１０８ポンド、４％水分率）をその反応器に加えた。かき混ぜをスラリー中に良好な混合を与えるように調整し、そしてそのスラリーを約２０℃まで再冷却した。この反応スラリーを２０℃で１時間保持した。
【００３８】
NaOH水溶液（５０％、５８．７ポンド）を上記反応器に加え、そしてその反応混合物を、苛性ソーダの添加を終えた後に、２０℃で１５分間保持した。この反応器に、２０℃の反応器スラリー温度を保って、モノクロロ酢酸（MCA、７０．５ポンド）、IPA（９．０ガロン）、ジクロロ酢酸（DCA、９２６．８ｇ）および酢酸（７９．９ｇ）を加えた。MCAの添加を終えた後、その反応スラリーを７０℃まで加熱し、そして１時間保持した。その反応器に２８２ｇの１８％H2O2を加え、そしてそのスラリーを７０℃で６０分間加熱した。
【００３９】
上記反応スラリーを遠心分離し、そしてその湿ったケーキを３００ガロンの８０％メタノールで３回、３００ガロンの１００％メタノールで２回洗浄した。その物質をアッベ乾燥器中で、真空下、８０−９０℃において４−６％の水分率になるまで乾燥した。生成物を超微粉砕器で０．０２７８インチのスクリーンを通して粉砕した。置換度（ＤＳ）＝０．７９。
【００４０】
実施例４
実施例３の条件を繰り返した。ＤＳ＝０．７８。
実施例５
イソプロピルアルコール（IPA、１２１．９ガロン）、水（１３０．０ポンド）、メタノール（６．２９ガロン）およびNaOH（フレーク、４５．６ポンド）を反応器に装填した。この反応器を不活性にし、そしてその苛性ソーダ／溶媒混合物を２０℃まで冷却し、この時点にセルロースパルプ（１０８ポンド、４％水分率）をその反応器に加えた。かき混ぜをスラリー中に良好な混合を与えるように調整し、そしてそのスラリーを約２０℃まで再冷却した。この反応スラリーを２０℃で１時間保持した。
【００４１】
NaOH水溶液（５０％、５８．７ポンド）を上記反応器に加え、そしてその反応混合物を、苛性ソーダの添加を終えた後に２０℃で１５分間保持した。この反応器に、２０℃の反応器スラリー温度を保って、モノクロロ酢酸（MCA、８１．０ポンド）、IPA（９．０ガロン）、ジクロロ酢酸（DCA、１０６５．９ｇ）および酢酸（９１．９ｇ）を加えた。MCAの添加を終えた後、その反応スラリーを７０℃まで加熱し、そして１時間保持した。その反応器に１８８ｇの１８％H2O2を加え、そしてそのスラリーを７０℃で６０分間加熱した。
【００４２】
上記反応スラリーを遠心分離し、そしてその湿ったケーキを３００ガロンの８０％メタノールで３回、３００ガロンの１００％メタノールで２回洗浄した。その物質をアッベ乾燥器中で、真空下、８０−９０℃において４−６％の水分率になるまで乾燥した。生成物を超微粉砕器で０．０２７８インチのスクリーンを通して粉砕した。置換度（ＤＳ）＝０．８６。
【００４３】
実施例６
実施例５の条件を繰り返した。ＤＳ＝０．８６。
実施例７
イソプロピルアルコール（IPA、１２１．１ガロン）、水（１４６．０ポンド）、メタノール（６．２４ガロン）およびNaOH（フレーク、３５．４ポンド）を反応器に装填した。この反応器を不活性にし、そしてその苛性ソーダ／溶媒混合物を２０℃まで冷却し、この時点にセルロースパルプ（１０８ポンド、４％水分率）をその反応器に加えた。かき混ぜをスラリー中に良好な混合を与えるように調整し、そしてそのスラリーを約２０℃まで再冷却した。この反応スラリーを２０℃で１時間保持した。
【００４４】
NaOH水溶液（５０％、５８．７ポンド）を上記反応器に加え、そしてその反応混合物を、苛性ソーダの添加を終えた後に、２０℃で１５分間保持した。この反応器に、２０℃の反応器スラリー温度を保って、モノクロロ酢酸（MCA、７０．５ポンド）、IPA（９．０ガロン）、ジクロロ酢酸（DCA、９２６．８ｇ）および酢酸（７９．９ｇ）を加えた。MCAの添加を終えた後、その反応スラリーを７０℃まで加熱し、そして１時間保持した。その反応器に２８２ｇの１８％H2O2を加え、そしてそのスラリーを７０℃で６０分間加熱した。
【００４５】
上記反応スラリーを遠心分離し、そしてその湿ったケーキを３００ガロンの８０％メタノールで３回、３００ガロンの１００％メタノールで２回洗浄した。その物質をアッベ乾燥器中で、真空下、８０−９０℃において４−６％の水分率になるまで乾燥した。生成物を超微粉砕器で０．０２７８インチのスクリーンを通して粉砕した。置換度（ＤＳ）＝０．７９。
【００４６】
実施例８
イソプロピルアルコール（IPA、１４ｋｇ）、水（２１８４ｇ）、メタノール（７２８．８ｇ）を反応器に装填した。この反応器を不活性にし、そしてその溶媒混合物を約２０℃まで冷却し、この時点にセルロースパルプ（１８００ｇ、３．６％水分率）をその反応器に加えた。かき混ぜをスラリー中に良好な混合を与えるように調整し、そのスラリーを約２０℃まで再冷却し、そしてNaOH（フレーク、６９１．４ｇ）をその反応器に加えた。この反応スラリーを２０℃で１時間保持した。
【００４７】
NaOH水溶液（５０％、３５３．６ｇ）を上記反応器に加え、そしてその反応混合物を苛性ソーダの添加を終えた後に２０℃で１５分間保持した。この反応器に、２０℃の反応器スラリー温度を保って、モノクロロ酢酸（MCA、９３９．８ｇ）、IPA（９７７ｇ）、ジクロロ酢酸（DCA、２７．３ｇ）および酢酸（２．４ｇ）を加えた。MCAの添加を終えた後、その反応スラリーを７０℃まで加熱し、そして１時間保持した。
【００４８】
上記反応スラリーを濾過し、その結果得られた湿ったケーキを１２ガロンの８０％メタノール水溶液で３回、１２ガロンの９５％メタノールで１回洗浄した。その物質を、真空トレー乾燥器中で７０℃において４−６％の最終水分率になるまで乾燥した。その乾燥生成物を超微粉砕器で０．０２７８インチのスクリーンを通して粉砕した。置換度＝０．７３。
【００４９】
実施例９
イソプロピルアルコール（IPA、６９６．６７ｇ）および脱イオン（ＤＩ）水（７６．９５ｇ）を、空気駆動攪拌機、ステンレス鋼製かき混ぜ器、圧力均等化添加漏斗、還流コンデンサー、真空、窒素入口および熱電対を備えたジャケット付き重合釜反応器に装填した。この反応器にセルロースパルプ（６５．０ｇ、６．８％水分率）を加え、その反応器を密封し、そしてかき混ぜ器を良好な混合を達成するように調整した。この反応器を不活性にし、そしてその混合物を２０℃まで冷却した。
【００５０】
NaOH水溶液（５０％、６０．９２ｇ）を、混合物スラリー温度を２０℃に保って、上記反応器に添加漏斗を通してゆっくり加えた。苛性ソーダの添加を終えた後、その反応混合物を２０℃で１時間保持した。
【００５１】
NaOH水溶液（５０％、３６．３７ｇ）を、混合物スラリー温度を２０℃に保って、上記反応器に添加漏斗を通してゆっくり加えた。苛性ソーダの添加を終えた後、その反応混合物を２０℃で５分間保持した。その反応器に、開放反応器口を通して、２０℃の反応器スラリー温度を保って、モノクロロ酢酸（MCA、４２．９１ｇ）を加えた。MCAの添加を終えた後、その反応スラリーを７０℃まで加熱し、そして１．５時間保持した。その反応器に１．６ｍＬの６％H2O2を加え、そしてそのスラリーを７０℃で３０分間加熱した。この反応スラリーを濾過し、その結果得られた湿ったケーキを５６５ｇの８０％メタノール水溶液で３回、１０００ｇの純メタノールで１回洗浄した。この結果得られた湿ったケーキを小さい粒子に砕き、そして流動床乾燥器中で３５分間乾燥した。（５分間風乾、５０℃で１０分間熱乾燥、そして７０℃でさらに２０分間熱乾燥）。生成物を、１ｍｍのスクリーンを用いているRetsch細砕機で粉砕した。置換度（ＤＳ）＝０．６２。１％水溶液粘度＝２２００ｃｐ。
【００５２】
実施例１０
イソプロピルアルコール（IPA、７１３．８６ｇ）および脱イオン（ＤＩ）水（７３．７９ｇ）を、空気駆動攪拌機、ステンレス鋼製かき混ぜ器、圧力均等化添加漏斗、還流コンデンサー、真空、窒素入口および熱電対を備えたジャケット付き重合釜反応器に装填した。この反応器にセルロースパルプ（６５．０ｇ、３．７％水分率）を加え、その反応器を密封し、そしてかき混ぜ器を良好な混合を達成するように調整した。この反応器を不活性にし、そしてその混合物を２０℃まで冷却した。
【００５３】
NaOH水溶液（５０％、３９．９８ｇ）を、混合物スラリー温度を２０℃に保って、上記反応器に添加漏斗を通してゆっくり加えた。苛性ソーダの添加を終えた後、その反応混合物を２０℃で１時間保持した。
【００５４】
上記反応器に、添加漏斗を通して、混合物スラリー温度を２０℃に保って、NaOH水溶液（５０％、３５．７７ｇ）をゆっくり加えた。その反応混合物を、苛性ソーダの添加を終えた後に２０℃で５分間保持した。その反応器に、開放反応器口を通して、２０℃の反応器スラリー温度を保って、モノクロロ酢酸（MCA、４２．２５ｇ）を加えた。MCAの添加を終えた後、その反応スラリーを７０℃まで加熱し、そして１．５時間保持した。その反応スラリーを濾過し、その結果得られた湿ったケーキを５６５ｇの８０％メタノール水溶液で３回、１０００ｇの純メタノールで１回洗浄した。この結果得られた湿ったケーキを小さい粒子に砕き、そして流動床乾燥器中で３５分間乾燥した。（５分間風乾、５０℃で１０分間熱乾燥、そして７０℃でさらに２０分間熱乾燥）。生成物を、１ｍｍのスクリーンを用いているRetsch細砕機で粉砕した。置換度（ＤＳ）＝０．８４。１％水溶液粘度＝３７６０ｃｐ。
【００５５】
実施例１１
この実施例は、６．０Ｍ尿素溶液中における本発明の１．０％CMC試料調製の挙動を例証するものである。
【００５６】
上記１％CMC溶液は次の装置中で調製した：
Caframo RZR1塔頂攪拌機、８オンスガラス広口瓶、２本の３枚羽根プロペラを備えるステンレス鋼製攪拌シャフト（直径１．５インチ）、Parafilm（登録商標）、脱イオン（ＤＩ）水、Germaben II。
【００５７】
０．５０％Germaben溶液を、ＤＩ水にGermaben IIを加えることによって調製した。次に、この溶液を８オンスガラス広口瓶に秤取した。その溶液を次いで塔頂攪拌機で攪拌し、同時にCMCをその溶液に速やかに加えた。CMCレベルは最終試料重量の１．０％であった。CMC重量は水分率について補正する。粘度が増大し始めるにつれて、攪拌機の速度を試料からの跳ねかけを引き起こさない最大速度まで上げた。上記広口瓶に、水の蒸発と跳ねかけによる損失を防ぐために混合しながらParafilmでふたをする。この試料を１時間攪拌する。最高速度での攪拌１時間後に攪拌速度をさらに１時間かけて４の設定まで落とした。その試料をおよそ５分間遠心分離して閉じこめられた空気を除去した。
【００５８】
上記試料の挙動を次の装置で調べた：
Caframo RZR1塔頂攪拌機、８オンスガラス広口瓶、２本の３枚羽根プロペラを備えるステンレス鋼製攪拌シャフト（直径１インチ）、Parafilm（登録商標）、６．０Ｍ尿素（５００ｍＬまで希釈された１８０．１８ｇの尿素）。
【００５９】
手順
６．０Ｍ尿素溶液を８オンスガラス広口瓶に秤取した。この溶液を、それにCMCを速やかに加えながら、塔頂Caframo RZR1攪拌機で攪拌した。CMCレベルは最終試料重量の１．０％であった。CMC重量は水分率について補正した。粘度が増大し始めるにつれて、攪拌機の速度を試料からの跳ねかけを引き起こさない最大速度まで上げた。この広口瓶に、水の蒸発と跳ねかけによる損失を防ぐために混合しながらParafilmでふたをした。この試料を１時間攪拌した。最高速度での攪拌１時間後に攪拌速度をさらに１時間かけて４の設定まで落とした。その試料をおよそ５分間遠心分離して閉じこめられた空気を除去した。
【００６０】
【表１】
0004675108.tif 000004
【００６１】
同じ方法で香味料を混合した。全ての配合成分を一緒にした後、その混合物を真空下において１５分間高速で混合した。そのバッチを次に２オンスの広口瓶および６オンスの練り歯磨きチューブに詰めた。
【００６２】
練り歯磨き試料を室温で３０日間貯蔵した。試料を行われるどんな試験の前にも２５℃の水浴中で４時間平衡にした。
粘度はＴバー型スピンドルを備えたブルックフィールドＤＶ−１を用いて測定した。剪断の影響を防ぐために、ヘリパススタンド（helipath stand）を用いて試料を通してスピンドルを下方へ掃引した。粘度を３０秒毎に２分にわたって取り、そして値を平均した。
【００６３】
練り歯磨きのコンシステンシーをラック試験法（rack test）を用いて測定した。ラックは距離が左から右に離れて増加するクロスバーを持つ設計にした。測定されるべき試料を含んでいる練り歯磨きチューブにステンレス製オリフィスを取り付ける；このオリフィスは、生じることがあるオリフィスサイズの違いを取り除くように寸法が合わされている。上記チューブをラックを横切って一様な様式で絞り、そのペーストをラックの上にリボンとして押し出す。１５秒後に、開口の所でリボンがその開口を通して落ち、そして砕けたことを記録する。左から右までの開口数は“Cuban”値として記録される値である。
【００６４】
練り歯磨きのデータは表２にまとめて示される。
【００６５】
【表２】
0004675108.tif 000005
【００６６】
実施例１２
動的粘度は、４０ｍｍの平行ツールジオメトリーを２ｍｍのギャップ設定と共に用いるレオメトリックス（Rheometrics）により、RFS III歪み制御レオメーターを用いて２５℃において測定した。試料を、荷重をかけて荷重履歴を消すと同時に１００秒−１で６０秒間予備剪断処理した。予備剪断処理に続いて０．０１〜１００秒−１での定常剪断実験を行った。各点データは、各々２０秒の継続時間を持つ時計回り回転と反時計回り回転との平均である。全ての試料が低剪断ニュートンプラトーを示し、その平均がデータ解析とさらなる比較において用いられた。水溶液および６Ｍ１％CMC溶液の動的粘度が表１にまとめて示されている。相対尿素／水比も表１にまとめて示されている。
【００６７】
実施例１３
本発明のCMCは練り歯磨き配合物において向上した増粘能力および離液制御を示す。炭酸カルシウム系練り歯磨きの処方は次のとおりである：
【００６８】
【表３】
0004675108.tif 000006
【００６９】
標準的な実験室練り歯磨きの調製を行った。まず、塩を水の一部に溶解し、そして完全な溶解のために加温した。プロペラ付属物を持つ塔頂ミキサーを用いてCMCをソルビトール中に分散させた。CMCを十分に分散させた後、水の残量をCMCが溶解したように見えるまで継続混合しながら加えた。このCMC溶液の中に上記温塩溶液を入れて混合した。これを次いで１クォートのRoss二重遊星形ミキサーに移した。次に、このミキサー中で炭酸カルシウムを攪拌し、それを十分に分散させた後に真空を適用した。真空下で２０分間混合した後、ラウリル硫酸ナトリウムを真空なしで混合した。
【００７０】
実施例１４
本発明のCMCは、他の重合体との組み合わせで、練り歯磨き配合物において減少した後増粘と構造組織（structure build）、および向上した初期構造を示す。
【００７１】
粘度は練り歯磨きにおける後増粘の１つの尺度である。練り歯磨き試料をバイアルに詰め、そして粘度をＴバー型スピンドルを備えるブルックフィールドＤＶ−１を用いて測定した。剪断の影響を防ぐために、ヘリパススタンドを用いて試料を通してスピンドルを下方へ掃引した。粘度を３０秒毎に２分間にわたって取り、そして値を平均した。
【００７２】
グラフ（図１）のデータから、ほとんどの試料は加工後第１日目から３０日まで粘度変化を示したことが分かる。データを１００％としての初期粘度に対して規格化すると、時間経過に対する変化はさらに明白である（図２）。実施例７のCMCと他の多糖類または無機塩との組み合わせを用いて調製した練り歯磨きは、実施例７単独を用いて調製した練り歯磨きと比較して低い後増粘を示した。
【００７３】
練り歯磨き構造も重要な一面である。この性質は、ＭＮ州、ミネアポリスのMTS Systems CorporationからのMTS Servo油圧試験装置系を用いて圧縮するのに要する力によって測定することができる。その装置には半インチのアクリル樹脂シリンダープローブが取り付けられ、練り歯磨き試料は加工後バイアルに充填され、そして攪乱なしで直接測定に付された。
【００７４】
実施例７のCMC単独または他の多糖類または無機塩との組み合わせは、カラゲナンおよびザンサンを用いて調製された練り歯磨きと比較して同様のまたはそれらより大きい初期構造を持つ、そして市販CMCである9M31Fを用いて調製された練り歯磨きよりもはるかに大きい初期構造を持つ練り歯磨きをもたらしたことは以下において表３に見ることができる。
【００７５】
ピークの圧縮力を３０日間にわたってモニターした。大部分の試料は値が変化したことが見いだされた（図３）。図４に示されるように、データが１００％としての初期構造値に対して規格化されるならば、比較はさらに容易に行うことができる。図４の規格化されたデータから、実施例７のCMCと他の多糖類または無機塩との組み合わせを用いて調製した練り歯磨き試料は、時間の経過に対してより低い構造組織を有することが分かる。
【００７６】
ここに概説される研究から、高次構造および低い後増粘を持つ練り歯磨きは本発明のCMCを他の多糖類若しくは無機塩またはそれらの組み合わせと併用して製造できると結論することができる。
【００７７】
この実施例で用いられた練り歯磨きの処方は次のとおりであった：
【００７８】
【表４】
0004675108.tif 000007
【００７９】
上記処方においてこの実施例で使用された異なる重合体は次のとおりであった：
【００８０】
【表５】
0004675108.tif 000008
【００８１】
【表６】
0004675108.tif 000009
【００８２】
この実施例の成分の識別表示および供給会社は次のとおりである：
【００８３】
【表７】
0004675108.tif 000010
【００８４】
実施例１５
本発明のCMCは飲料配合物において向上した増粘能力を示す。
【００８５】
【表８】
0004675108.tif 000011
【００８６】
【表９】
0004675108.tif 000012
【００８７】
セルロースガムまたは重合体を水に混入し、２０分間混合する。酸、防腐剤および糖を予備混合し、それを加え、そして５分間混合する。ジュースコンセントレートを加える；３分間混合する。
【００８８】
【表１０】
0004675108.tif 000013
【００８９】
実施例１６
本発明のCMCは食品調合物において向上した増粘能力を示す。
ケーキミックスおよびケーキの例
【００９０】
【表１１】
0004675108.tif 000014
【００９１】
【表１２】
0004675108.tif 000015
【００９２】
乾燥成分を一様に混合されるまでパドル付属物を持つミキサーでブレンドした。水および卵をミックスに加え、そして中速度で３分間混合した。油を塗ったケーキ焼き皿にバターを注ぎ入れ、そして中温オーブン（３５０°Ｆ／１７７℃）中で３０分間焼いた。
【００９３】
【表１３】
0004675108.tif 000016
【００９４】
実施例１７
本発明のCMCは減少した量の使用で有効性を発揮するが、しかもなお従来技術材料との共同成果を達成する。食品配合物中ではフィルム形成性および粘性が高められる。
マーサおよびトウモロコシトルティヤの例
【００９５】
【表１４】
0004675108.tif 000017
【００９６】
乾燥成分を一様に混合されるまでパドル付属物を持つミキサーでブレンドした。水をミックスに加え、そして中速度で２分間混合した。ドウを５０ｇのボールに分割し、そしてトルティヤプレスで圧搾した。油を塗ってないフライパンでそれらトルティヤを各面１分ずつ焼いた。トルティヤをワイヤーラックで冷却し、ホイルシートで包み、そして１日後に柔軟性および再加熱についてチェックした。
【００９７】
【表１５】
0004675108.tif 000018
【００９８】
実施例１８
本発明のCMCは薬物放出の動力学を果たすことなしで向上した錠剤圧潰強さを示す。
次の配合物を調製した。
【００９９】
【表１６】
0004675108.tif 000019
【０１００】
実験手順
全成分を２０メッシュのスクリーンを通して篩い分けした。次に、マグネシウムを除く全成分を４クォートの低剪断Hobartミキサー中で２分間乾式ブレンドした。その後で水を１００ｇ／分の速度で加え、同時に低速攪拌を用いた。Klucelを含んでいる配合物には粉末１５００ｇ当たり合計５００ｍＬが加えられた。これはNatrosol含有配合物では７００ｇに増量された。湿った塊をトレー乾燥して水分率を２％未満まで落とした。乾燥工程に続いて、それら粒体を、Fitzpatrick Comminutor Fitzmillを用い、刃を前向きにして２３００rpmにおいて微粉砕した。小さくなった粒体を次にで０．５％のステアリン酸マグネシウムを添加して潤滑した。この最終混合物をＶ−ブレンダー中で３分間ブレンドした。
【０１０１】
圧縮適性
両モデル配合物について図５に示されるように、錠剤マトリックス中にCMC 12M8 pHに代えて実施例７のCMCを含めることは、錠剤の圧潰強さに有意の増加をもたらす。
薬物放出の動力学
圧縮適性は改善されるが、実施例７のCMCを含めても、12M8 pHと比較したとき、その放出の動力学には有意さが出ない。このことは、高度に可溶性の薬物（フェニルプロパノールアミン）および難溶性薬物（テオフィリン）の両者について図６および７に示される。さらに、実施例７のCMC含有配合物とCMC 12M8含有配合物との間には、ｐＨ１．５または６．８において相違が明白でなかった。
【０１０２】
実施例１９
本発明のCMCは、ペイント配合物において向上した増粘効率、向上した高剪断粘度（ICI）、改善された飛散抵抗性および改善された耐水性を示す。
【０１０３】
【表１７】
0004675108.tif 000020
【０１０４】
【表１８】
0004675108.tif 000021
【０１０５】
手順：
約２００グラムのペイントをローラーで取り上げる。ペイントを垂直の場所に置かれた１００ｘ５０ｃｍの寸法を持つ木材チップ壁紙に塗布する。ペイントはローラーで上下に１０ストローク塗布する。１枚の黒いコーチ紙（carch paper）を壁紙の下線の下５０ｃｍの所に水平に置く。その黒い紙の上に捕らえられる飛散の量を、１から１０までの等級で評価する一連の参照チャートと比較する。１の等級は飛散がひどいことを意味し、そして１０の等級は飛散が完全にないことを表す。
保水率（GRIMSHAWによる）
実験のこの部分で使用される装置は次のとおりである：
【０１０６】
【表１９】
0004675108.tif 000022
【０１０７】
手順
１．ペイント／着色剤のブレンドをアルミニウム製カップの中で完全に混合する。粘度に依存して次の比を選ぶことができる：
【０１０８】
【表２０】
0004675108.tif 000023
【０１０９】
２．２つの締付環の間に濾紙を置き、これらをペーパークリップで固定する。
３．締め付けられた濾紙を秤量し、そして毛細管ピペットで０．５または１．０グラム（着色ペイントの小塊の流動性に依存する）をその濾紙の中央に適用する。
【０１１０】
４．室温で一晩乾燥させる。
５．６個の異なるスポット上のペイント中心を回って陰影の付いたしみを平定規により測る。
【０１１１】
６．ｍｍで表される平均値は保水性の１つの尺度である。低い値が良好な保水性を意味する。
７．使用された試験条件、比およびペイントの量、そしてまたｍｍでのしみの増加を報告する。
【０１１２】
この発明を特定の態様に関して説明したが、これらの態様は限定しようとするものではないこと、および多くの変更と改変がこの発明の範囲と精神を逸脱することなく可能であることを理解すべきである。
【図面の簡単な説明】
【０１１３】
【図１】練り歯磨き粘度の時間経過に対するグラフを示す。
【図２】規格化された練り歯磨き粘度の時間経過に対するグラフを示す。
【図３】練り歯磨き構造の時間経過に対するグラフを示す。
【図４】規格化された練り歯磨き構造の時間経過に対するグラフを示す。
【図５】重合体ブレンドの圧潰強さのグラフを示す。
【図６】溶解パーセント薬物の時間経過に対するグラフを示す。
【図７】溶解パーセント薬物の時間経過に対するグラフを示す。
【図１】
0004675108.tif 000025
【図２】
0004675108.tif 000026
【図３】
0004675108.tif 000027
【図４】
0004675108.tif 000028
【図５】
0004675108.tif 000029
【図６】
0004675108.tif 000030
【図７】
0004675108.tif 000031